(57)【要約】【課題】煩わしい音量調節を行わなくとも、周囲に対して作業時に与える聴覚による不快感を排除できること。【解決手段】各種処理結果を外部に報知する報知音を出力する音声出力部１１と、外部環境の光の輝度を測定する測光部７と、測光部７が測定した輝度のレベルを判断し、前記輝度のレベルが所定の基準レベル以上であると判断した場合、音声出力部１１に対し、基準音量の前記報知音を出力する制御を行い、前記輝度のレベルが前記所定の基準レベル未満であると判断した場合、音声出力部１１に対し、前記基準音量に比して小さい音量の前記報知音を出力する制御を行う制御部１４と、を備える。【選択図】        図１
2006171809.tif 000002
【特許請求の範囲】
【請求項１】
各種処理結果を外部に報知する報知音を出力する音出力手段と、
外部環境の光の輝度を測定する測光手段と、
前記測光手段が測定した輝度のレベルを判断し、前記輝度のレベルが所定の基準レベル以上であると判断した場合、前記音出力手段に対し、基準音量の前記報知音を出力する制御を行い、前記輝度のレベルが前記所定の基準レベル未満であると判断した場合、前記音出力手段に対し、前記基準音量に比して小さい音量の前記報知音を出力する制御を行う制御手段と、
を備えたことを特徴とする情報端末装置。
【請求項２】
各種処理結果を外部に報知する報知音を出力する音出力手段と、
外部環境の光の輝度を測定する測光手段と、
前記測光手段が測定した輝度のレベルを判断し、前記輝度のレベルが所定の基準レベル以上であると判断した場合、前記音出力手段に対し、基準周波数帯の前記報知音を出力する制御を行い、前記輝度のレベルが前記所定の基準レベル未満であると判断した場合、前記音出力手段に対し、前記基準周波数帯に比して低い周波数帯の前記報知音を出力する制御を行う制御手段と、
を備えたことを特徴とする情報端末装置。
【請求項３】
時刻を算出するとともに、該時刻を前記制御手段に通知する時刻通知手段を備え、
前記制御手段は、前記時刻通知手段によって通知された時刻が所定の基準時間帯内であるか否かを判断し、該時刻が該所定の基準時間帯内であると判断した場合、前記輝度のレベルを判断することを特徴とする請求項１または２に記載の情報端末装置。
【請求項４】
所望の時刻または時間帯を指定する指定時間情報を入力する入力手段を備え、
前記制御手段は、前記指定時間情報によって指定された時刻または時間帯が所定の基準時間帯内であるか否かを判断し、該時刻または該時間帯が該所定の基準時間帯内であると判断した場合、前記輝度のレベルを判断することを特徴とする請求項１または２に記載の情報端末装置。
【請求項５】
振動または可視光を出力して前記各種処理結果を外部に報知する報知手段を備え、
前記制御手段は、前記輝度のレベルが前記所定の基準レベル未満であると判断した場合、前記報知音を無音状態にするとともに、前記報知手段に対し、前記振動または前記可視光を出力する制御を行うことを特徴とする請求項１〜４のいずれか一つに記載の情報端末装置。
【請求項６】
前記制御手段は、前記輝度のレベルを所定時間毎に判断することを特徴とする請求項１〜５のいずれか一つに記載の情報端末装置。
【請求項７】
前記測光手段は、前記外部環境の光の輝度を所定時間毎に測定することを特徴とする請求項１〜６のいずれか一つに記載の情報端末装置。
【発明の詳細な説明】
【技術分野】
【０００１】
この発明は、情報を非接触で読み取る機能と各種処理結果を外部に報知する着信音または警告音等の報知音を出力する機能とを有する情報端末装置に関するものである。
【背景技術】
【０００２】
従来から、小型の集積回路と無線通信用のアンテナとを組み合わせたＲＦＩＤ（Radio Frequency Identification）タグおよびカード状の樹脂製板にＲＦＩＤ機能が設けられた非接触ＩＣカード等の外部情報記録媒体が普及している。これとともに、所定の電波を介し、外部情報記録媒体に記録された情報を読み取る機能と外部情報記録媒体に所望の情報を書き込む機能とを備えたＰＤＡ（Personal Digital Assistant）またはＲＦＩＤリーダライタ等の非接触による情報読取処理および情報書込処理を行える情報端末装置が開発されている。このような外部情報記録媒体と情報端末装置とを用いたＲＦＩＤシステムは、一群内の各個体の情報管理に有用であるので、流通業界をはじめとする様々な業種において実用化されている。
【０００３】
たとえば、医療分野においては、病院内での医療過誤防止等を目的としてＲＦＩＤシステム等のＩＴ技術の導入が進んでいる。医師または看護師は、情報端末装置を用い、各患者に割り当てられた外部情報記録媒体内の患者情報を読み取ることによって処置対象の患者と投与する薬品との組合せの正否を確認し、薬品の取り違え等の医療過誤を防止する。この場合、情報端末装置は、外部情報記録媒体に記録された患者情報の読取完了を報知する着信音または患者と薬品との組合せが正しくない旨を報知する警告音等の各種処理結果を示す報知音を出力する。医師または看護師は、この報知音を聞き取ることによって、たとえば患者と薬品との組合せの正否を聴覚的に確認できる。このような技術に関し、鞄内部またはポケット内部等の暗い環境とその外部の明るい環境との間の移動にともなう装置外部の光量変化を検出し、光量の増加を検出した場合、この光量の増加に応じて着信音の音量を低減する携帯端末装置がある（特許文献１参照）。
【０００４】
【特許文献１】特開平９−２３８３７６号公報
【発明の開示】
【発明が解決しようとする課題】
【０００５】
ところで、上述した報知音は、一般に、明るい環境下たとえば昼間の電車内または室内等で情報端末装置が用いられる場合、その使用者が周囲の雑音に阻害されずに聞き取れる程度の音量で出力される。この音量の報知音が出力されれば、使用者は、たとえ就寝中であっても、この報知音が出力されたことに気がつく場合が多い。
【０００６】
しかしながら、上述した特許文献１に記載された携帯端末装置では、暗い環境下たとえば患者が就寝した夜間の病室内等で用いられた場合、装置外部の光量変化すなわち光量の増加を検出することは困難であり、明るい環境下で設定した音量を低減せずに着信音を出力する場合が多い。このため、この音量を低減せずに出力した着信音によって、周囲に対し、たとえば患者の就寝を妨げる等の聴覚による不快感を与えるという問題点があった。
【０００７】
この発明は、上記事情に鑑みてなされたものであって、煩わしい音量調節を行わなくとも、周囲に対して作業時に与える聴覚による不快感を排除できる情報端末装置を提供することを目的とする。
【課題を解決するための手段】
【０００８】
上述した課題を解決し、目的を達成するために、請求項１にかかる情報端末装置は、各種処理結果を外部に報知する報知音を出力する音出力手段と、外部環境の光の輝度を測定する測光手段と、前記測光手段が測定した輝度のレベルを判断し、前記輝度のレベルが所定の基準レベル以上であると判断した場合、前記音出力手段に対し、基準音量の前記報知音を出力する制御を行い、前記輝度のレベルが前記所定の基準レベル未満であると判断した場合、前記音出力手段に対し、前記基準音量に比して小さい音量の前記報知音を出力する制御を行う制御手段と、を備えたことを特徴とする。
【０００９】
また、請求項２にかかる情報端末装置は、各種処理結果を外部に報知する報知音を出力する音出力手段と、外部環境の光の輝度を測定する測光手段と、前記測光手段が測定した輝度のレベルを判断し、前記輝度のレベルが所定の基準レベル以上であると判断した場合、前記音出力手段に対し、基準周波数帯の前記報知音を出力する制御を行い、前記輝度のレベルが前記所定の基準レベル未満であると判断した場合、前記音出力手段に対し、前記基準周波数帯に比して低い周波数帯の前記報知音を出力する制御を行う制御手段と、を備えたことを特徴とする。
【００１０】
また、請求項３にかかる情報端末装置は、上記発明において、時刻を算出するとともに、該時刻を前記制御手段に通知する時刻通知手段を備え、前記制御手段は、前記時刻通知手段によって通知された時刻が所定の基準時間帯内であるか否かを判断し、該時刻が該所定の基準時間帯内であると判断した場合、前記輝度のレベルを判断することを特徴とする。
【００１１】
また、請求項４にかかる情報端末装置は、上記発明において、所望の時刻または時間帯を指定する指定時間情報を入力する入力手段を備え、前記制御手段は、前記指定時間情報によって指定された時刻または時間帯が所定の基準時間帯内であるか否かを判断し、該時刻または該時間帯が該所定の基準時間帯内であると判断した場合、前記輝度のレベルを判断することを特徴とする。
【００１２】
また、請求項５にかかる情報端末装置は、上記発明において、振動または可視光を出力して前記各種処理結果を外部に報知する報知手段を備え、前記制御手段は、前記輝度のレベルが前記所定の基準レベル未満であると判断した場合、前記報知音を無音状態にするとともに、前記報知手段に対し、前記振動または前記可視光を出力する制御を行うことを特徴とする。
【００１３】
また、請求項６にかかる情報端末装置は、上記発明において、前記制御手段は、前記輝度のレベルを所定時間毎に判断することを特徴とする。
【００１４】
また、請求項７にかかる情報端末装置は、上記発明において、前記測光手段は、前記外部環境の光の輝度を所定時間毎に測定することを特徴とする。
【発明の効果】
【００１５】
この発明によれば、煩わしいマニュアル操作での音量調節を行わなくとも、暗い外部環境下での出力音を通常音量に比して小さい音量で出力でき、作業時、特に夜間等の暗い外部環境下での作業時に周囲に与える聴覚による不快感を排除可能な情報端末装置を実現できるという効果を奏する。
【発明を実施するための最良の形態】
【００１６】
以下、添付図面を参照して、この発明にかかる情報端末装置の好適な実施の形態を詳細に説明する。なお、この実施の形態によって、この発明が限定されるものではない。
【００１７】
（実施の形態１）
図１は、この発明の実施の形態１である情報端末装置の一構成例を模式的に示すブロック図である。図２は、この発明の実施の形態１である情報端末装置の概略構成を模式的に例示する分解斜視図である。図１および図２において、この情報端末装置１は、入力部２、表示部３、無線通信用のアンテナ４、ＲＦＩＤ処理部５、撮像部６、測光部７、外部通信部８、ストレージデバイス９、音声入力部１０、音声出力部１１、報知部１２、記憶部１３、および制御部１４を有する。また、情報端末装置１は、筐体１５，１６を有する。
【００１８】
筐体１５は、複数のボタン２ａとボタン２ｂとが設けられ、表示窓１５ａが形成される。ボタン２ｂには、入力スイッチ２ｄが設けられる。筐体１６は、バッテリ１７を収納するためのバッテリ収納部１６ａと蓋１６ｂとを有し、撮像窓１６ｃ、測光窓１６ｄ、および音出力用窓１６ｅが形成される。また、筐体１６の内壁には、アンテナ４と報知部１２とが設けられる。撮像窓１６ｃには、撮像部６が設けられる。測光窓１６ｄには、測光部７が設けられる。音出力用窓１６ｅには、音声出力部１１が設けられる。
【００１９】
また、筐体１５，１６は、互いに組み合わされることによって情報端末装置１の装置筐体を形成する。この装置筐体内には、上述したように、入力スイッチ２ｄ、アンテナ４、撮像部６、測光部７、音声出力部１１、および報知部１２が設けられ、さらに、外部通信部８、ストレージデバイス９、音声入力部１０、および制御基板１８が設けられる。制御基板１８には、スイッチ２ｃ、表示部３、ＲＦＩＤ処理部５、記憶部１３、および制御部１４が設けられる。制御基板１８は、この装置筐体内に設けられる場合、各ボタン２ａの位置と各入力スイッチ２ｃの位置とが互いに合うように、かつ表示部３が表示窓１５ａ内に嵌め込まれるように、筐体１５に組み込まれる。また、入力スイッチ２ｄ、アンテナ４、撮像部６、測光部７、音声出力部１１、および報知部１２は、制御基板１８と電気的に接続される。
【００２０】
入力部２は、複数の操作キーを用いて実現され、具体的には、上述したボタン２ａ，２ｂと入力スイッチ２ｃ，２ｄとを用いて実現される。入力部２は、医師または看護師等の使用者によるキー操作に応じ、各種情報を制御部１４に入力する。たとえば、入力部２は、ボタン２ａを用いた入力操作に応じ、制御部１４に対して指示する各種指示情報を制御部１４に入力する。この指示情報の例としては、表示部３に表示出力する情報、外部情報記録媒体に書き込む所望の情報（書込情報）、外部情報記録媒体内の情報を読み取る処理（情報読取処理）を開始指示する読取指示情報、および書込情報を外部情報記録媒体に書き込む処理（情報書込処理）を開始指示する書込指示情報等が挙げられる。
【００２１】
表示部３は、液晶表示装置（ＬＣＤ）または有機ＥＬパネル等の薄型ディスプレイを用いて実現される。表示部３は、制御部１４によって表示指示された各種情報を外部に表示出力する。使用者は、筐体１５の表示窓１５ａを介し、表示部３が出力した表示内容を確認できる。この表示内容の例として、情報読取処理によって外部情報記録媒体から読み取った情報、制御部１４が行った各種情報処理の結果を示す情報、撮像部６によって撮像され生成された画像情報、および情報端末装置１に発生した各種エラーを報知するエラー表示等が挙げられる。
【００２２】
アンテナ４は、たとえばループアンテナであり、アルミニウム、チタン−ニッケル合金、銅合金、またはステンレス等の金属を用いて実現される。アンテナ４は、所定の電波を介して外部情報記録媒体との無線通信を行うためのものである。具体的には、アンテナ４は、ＲＦＩＤ処理部５から入力された電気信号を所定の電波に変換するとともに、この所定の電波を介し、この電気信号に基づく情報を外部情報記録媒体に送信する。また、アンテナ４は、外部情報記録媒体からの電波を受信するとともに、この電波を電気信号に変換する。アンテナ４は、この電気信号をＲＦＩＤ処理部５に送信する。
【００２３】
ＲＦＩＤ処理部５は、周知の変調回路、復調回路、および高周波回路等を用いて実現される。ＲＦＩＤ処理部５は、制御部１４から入力された電気信号に対して所定の変調処理および電力増幅処理等を行い、得られた電気信号をアンテナ４に出力する。また、ＲＦＩＤ処理部５は、アンテナ４から受信した電気信号に対して所定の復調処理を行い、外部情報記録媒体から送信された情報を取得する。ＲＦＩＤ処理部５は、取得した情報を制御部１４に送信する。
【００２４】
撮像部６は、ＣＣＤ（Charge Coupled Device）またはＣＭＯＳメージセンサ等の受光した光信号を電気信号に変換する撮像素子と、外部からの光信号を撮像素子に向けて結像する撮像光学系と、撮像素子が行う光電変換処理によって得られた電気信号をもとに画像情報を生成する画像処理部とを用いて実現される。すなわち、撮像部６は、筐体１６の撮像窓１６ｃを介して装置外部の環境（以下、外部環境という）の光を光信号として受光し、この光信号に基づく画像情報を生成する。撮像部６は、生成した画像情報を制御部１４に送信する。
【００２５】
測光部７は、ＣＣＤまたはＣＭＯＳイメージセンサ等の撮像素子あるいはフォトトランジスタまたはフォトダイオード等の受光素子を用いて実現される。測光部７は、外部環境の光の輝度を測定するように機能する。具体的には、測光部７は、筐体１６の測光窓１６ｄを介して外部環境の光を受光し、受光した光の輝度を示す輝度値を算出する。測光部７は、得られた輝度値を輝度情報として制御部１４に送信する。
【００２６】
外部通信部８は、ＲＳ２３２Ｃ、ＵＳＢ、またはＩＥＥＥ１３９４等に準拠したシリアル通信インターフェース、ＩＥＥＥ１２８４等に準拠したパラレル通信インターフェース、あるいはＩｒＤＡ規格に準拠した赤外線通信インターフェース等を用いて実現され、外部のホストコンピュータ（図示せず）またはプリンタ等の周辺機器（図示せず）に対する情報通信を行う。外部通信部８は、制御部１４によって送信指示または受信指示された各種情報をたとえば外部のホストコンピュータまたはプリンタ等の周辺機器との間で送信または受信する。なお、外部通信部８は、たとえば外部のホストコンピュータまたは周辺機器の各端子に電気的に接続できる共用端子が設けられ、この共用端子を介して情報通信を行ってもよい。
【００２７】
ストレージデバイス９は、所定の記憶メディアを着脱可能に装着でき、この記憶メディアに記録された情報を読み取り、またはこの記憶メディアに所望の情報を書き込む。具体的には、ストレージデバイス９は、制御部１４によって読取指示された情報をこの記憶メディア内から読み取り、読み取った情報を制御部１４に送信する。また、ストレージデバイス９は、制御部１４によって書込指示された情報をこの記憶メディアに書き込む。なお、この記憶メディアの例として、スマートメディア、メモリスティック、マルチメディアカード、またはＳＤメモリカード等の各種記憶メディアが挙げられる。
【００２８】
音声入力部１０は、周知のマイクロフォンを用いて実現され、音声を含む外部環境の各種音を検知するとともに、検知した音を電気信号に変換する。音声入力部は、検知した音に対応する電気信号を音情報として制御部１４に送信する。なお、音声入力部１０は、装置筐体内に設けられ、筐体１５または筐体１６に形成された開口部を介して外部環境の音を検知してもよいし、あるいは、装置筐体に外付けされ、所定の端子またはケーブルを介して音情報を制御部１４に送信してもよい。
【００２９】
音声出力部１１は、周知のスピーカを用いて実現され、制御部１４によって出力指示された各種音情報に対応する音または音声を外部に出力する。この場合、音声出力部１１は、制御部１４によって指示された音量、音質、および音色の音または音声を出力する。たとえば、音声出力部１１は、情報読取処理および情報書込処理等の制御部１４が行う各種処理の結果を外部に報知するための報知音、情報端末装置１に発生した各種エラーを報知するためのエラー音、音声入力部１０によって検知された音または音声等を出力する。この報知音の例として、情報読取処理が完了した旨を情報読取処理の結果として使用者に報知するための着信音、各種情報処理の結果を使用者に警告するため警告音等が挙げられる。なお、この警告音は、たとえば患者情報と薬品情報とを用いて処置対象の患者と投与する薬品との組合せの正否を判定する情報処理（正否判定処理）が行われ、患者と薬品との組合せが適正ではないと判定された場合に、この正否判定処理の結果を使用者に警告するために出力される。
【００３０】
報知部１２は、周知のバイブレータを用いて実現され、制御部１４によって指示され各種パターンの振動を発生するとともに、発生した振動を装置筐体に伝達する。使用者は、この装置筐体に伝達された振動を確認することによって、たとえば情報読取処理が完了した旨または警告が発せられた旨等を知ることができる。すなわち、報知部１２は、上述した報知音以外の手段によって、使用者に各種処理結果を報知する。
【００３１】
記憶部１３は、ＲＡＭ、ＥＥＰＲＯＭ、またはフラッシュメモリ等の情報の再書き込みおよび読み出しが可能な各種ＩＣメモリを用いて実現され、制御部１４によって書込指示された情報を記憶する。また、記憶部１３は、記憶した情報のうち、制御部１４によって読取指示された情報を読み出すとともに、読み出した情報を制御部１４に送信する。
【００３２】
制御部１４は、各種処理プログラムを実行するＣＰＵと、このＣＰＵが実行する各種処理プログラム等を予め記憶したＲＯＭと、各処理の演算パラメータまたは制御部１４が受信した各種情報等を一時的に記憶するＲＡＭとを用いて実現される。制御部１４は、情報端末装置１の各構成部に対して駆動制御および情報の入出力制御を行う。制御部１４は、情報端末装置１の各構成部との間で入出力される情報に対して所定の情報処理を行う。
【００３３】
また、制御部１４は、入力部２から入力された指示情報に基づいて各種処理を行う。たとえば、制御部１４は、上述した読取指示情報または書込指示情報に基づいてＲＦＩＤ処理部５を制御し、外部情報記録媒体に格納された情報を非接触で読み取る情報読取処理あるいは所望の書込情報を外部情報記録媒体に書き込む情報書込処理を行う。制御部１４は、情報読取処理または情報書込処理が完了した場合、音声出力部１１に対し、この処理が完了した旨を使用者に報知する報知音たとえば上述した着信音を出力する制御を行う。
【００３４】
さらに、制御部１４は、外部情報記録媒体またはストレージデバイス９内の記憶メディアから読み取った情報を用いて各種情報処理を行う。たとえば、制御部１４は、各患者に割り当てられた外部情報記録媒体から読み取った患者情報を用いて上述した正否判定処理を行う。制御部１４は、正否判定処理を行った結果、この患者と薬品との組合せが適正ではないと判定した場合、音声出力部１１に対し、この患者と薬品との組合せが適正ではない旨を使用者すなわち医師または看護師に報知するための警告音を出力する制御を行う。医師または看護師は、この警告音を聞き取ることによって、処置対象の患者と薬品との組合せが適正でない旨を処置前に確認でき、薬品の取り違え等の医療過誤を防止できる。
【００３５】
また、制御部１４は、出力音制御部１４ａを有する。出力音制御部１４ａは、音声出力部１１に出力させる報知音および警告音等の出力音の音量または音質を制御するためのものである。具体的には、出力音制御部１４ａは、測光部７によって測定された外部環境の輝度のレベルを判断し、判断した結果に基づいて音量または音質を制御する。図３は、出力音制御部１４ａが外部環境の明るさに応じて音量を制御するための処理手順を例示するフローチャートである。図４は、出力音制御部１４ａが外部環境の明るさに応じて音量を制御する動作を説明するための模式図である。
【００３６】
図３および図４において、まず、出力音制御部１４ａは、外部環境の光の輝度値を取得するための輝度情報の検知判定を行う（ステップＳ１０１）。すなわち、制御部１４は、測光部７に対し、外部環境の光の輝度を所定時間毎に測定する制御を行う。これによって、制御部１４は、外部環境の光の輝度値を輝度情報として所定時間毎に受信する。制御部１４が測光部７から輝度情報を受信した場合、出力音制御部１４ａは、この輝度情報を検知し（ステップＳ１０１，Ｙｅｓ）、検知した輝度情報に基づく輝度値Ｌを取得する。この場合、出力音制御部１４ａは、この所定時間毎に輝度情報を検知して輝度値Ｌを取得するので、輝度情報を常時検知して輝度値Ｌを取得する場合に比して負荷が軽減される。
【００３７】
一方、制御部１４が輝度情報を受信していない場合、出力音制御部１４ａは、輝度情報を検知せず（ステップＳ１０１，Ｎｏ）、このステップＳ１０１の処理を繰り返す。なお、出力音制御部１４ａは、制御部１４が輝度情報を所定時間毎に受信する場合、この輝度情報を同じ所定時間毎に検知する。
【００３８】
つぎに、出力音制御部１４ａは、取得した輝度値Ｌを用いて外部環境の光の輝度レベルを判断する。具体的には、出力音制御部１４ａは、輝度値Ｌと予め設定された閾値ＬTHとを比較し（ステップＳ１０２）、輝度値Ｌが閾値ＬTH以上であるか否かを判断する（ステップＳ１０３）。ここで、この閾値ＬTHは、外部環境の光の輝度レベルを判断するための判断基準となる輝度値である。すなわち、出力音制御部１４ａは、輝度値Ｌが閾値ＬTH以上であるか否かを判断することによって、外部環境の光の輝度レベルが基準レベル以上であるか否か（すなわち外部環境の明暗）を判断できる。
【００３９】
出力音制御部１４ａは、ステップＳ１０３において、輝度値Ｌが閾値ＬTH以上であると判断した場合（ステップＳ１０３，Ｙｅｓ）、外部環境の光の輝度レベルが基準レベル以上すなわち外部環境が明るいと判定する（ステップＳ１０４）。なお、ここでいう明るい外部環境とは、たとえば外光または照明光によって光量が十分多い病室内等である。
【００４０】
出力音制御部１４ａは、外部環境が明るいと判定した場合、音声出力部１１によって出力される報知音等の出力音の音量を通常音量に制御する（ステップＳ１０５）。この場合、出力制御部１４ａは、たとえば音量の制御電圧Ｖを電圧値Ｖ１に制御する。その後、出力音制御部１４ａは、上述したステップＳ１０１以降の処理手順を繰り返す。なお、この通常音量とは、周囲が活動している明るい外部環境下において聞き取り易い音量として通常用いる基準音量であって、たとえば周囲の雑音に阻害されずに、使用者が音声出力部１１からの出力音を聞き取れる程度の音量である。
【００４１】
たとえば、出力音制御部１４ａは、図４に示すように、外光または照明光によって明るい病室内等の明るい外部環境において、音声出力部１１からの出力音の音量を通常音量に制御する。この状態において、制御部１４は、たとえば処置対象の患者に割り当てられたＲＦＩＤタグ１００（外部情報記録媒体の一例）から患者情報を読み取った場合、この患者情報を読み取った旨を報知する着信音を通常音量で音声出力部１１に出力させる。また、制御部１４は、読み取った患者情報を用いて上述した正否判定処理を行い、この正否判定処理の結果（たとえば患者と薬品との組合せが適正でない旨）を警告する警告音を通常音量で音声出力部１１に出力させる。使用者は、周囲の雑音に阻害されずに、この着信音または警告音等の報知音を聞き取ることができる。
【００４２】
一方、出力音制御部１４ａは、ステップＳ１０３において、輝度値Ｌが閾値ＬTH未満であると判断した場合（ステップＳ１０３，Ｎｏ）、外部環境の光の輝度レベルが基準レベル未満すなわち外部環境が暗いと判定する（ステップＳ１０６）。なお、ここでいう暗い外部環境とは、たとえば夜間の外光または照明光の光量が少ない病室内等である。
【００４３】
出力音制御部１４ａは、外部環境が暗いと判定した場合、音声出力部１１によって出力される報知音等の出力音の音量を上述した通常音量に比して小さい音量に制御する（ステップＳ１０７）。この場合、出力制御部１４ａは、たとえば音量の制御電圧Ｖを上述した電圧値Ｖ１に比して低い電圧値Ｖ２に制御する。これによって、出力音制御部１４ａは、音声出力部１１からの出力音の音量を通常音量に比して例えば６ｄＢ程度小さい音量に制御する。その後、出力音制御部１４ａは、上述したステップＳ１０１以降の処理手順を繰り返す。
【００４４】
たとえば、出力音制御部１４ａは、図４に示すように、夜間の殆ど照明されていない（すなわち光量が少ない）病室内等の暗い外部環境において、音声出力部１１からの出力音の音量を上述した通常音量に比して小さい音量に制御する。この状態において、制御部１４は、たとえばＲＦＩＤタグ１００から患者情報を読み取った場合、通常音量に比して、たとえば６ｄＢ程度小さい音量の着信音を音声出力部１１に出力させる。また、制御部１４は、上述した正否判定処理の結果として患者と薬品との組合せが適正でない旨を警告する警告音を通常音量に比して、たとえば６ｄＢ程度小さい音量で音声出力部１１に出力させる。
【００４５】
ここで、夜間の病室等の暗い外部環境下では、通常、周囲が活動している昼間等の明るい外部環境に比して周囲の雑音が少ない。このため、通常音量の出力音は、暗い外部環境下において、情報端末装置１の使用者のみならず、周囲の人々たとえば情報端末装置１から比較的離れた場所に位置する患者にも過敏に伝わり、周囲の人々にとって耳障りな音になる。一方、出力音制御部１４ａが、上述したように出力音の音量を通常音量に比して小さい音量に制御することによって、暗い外部環境下において出力される報知音等の出力音は、情報端末装置１を所持する使用者およびその近傍の作業者等に聞き取られるが、この出力音を聞き取ることを意図しない周囲の人々たとえば就寝中の患者には聞き取られない。これによって、使用者は、暗い外部環境下たとえば就寝中の患者が存在する夜間の病室内において、報知音等の出力音に起因して就寝中の患者を起こす等の周囲に対して聴覚による不快感を与えずに、処置対象の患者に対する医療行為を行うことができる。
【００４６】
一方、出力音制御部１４ａは、外部環境が暗いと判定した場合、報知音等の出力音の音量を通常音量に比して小さい音量に制御していたが、これに限らず、暗い外部環境での出力音を無音状態に制御するとともに、この出力音に代えて、使用者に各種処理結果等を報知するための振動を発生させてもよい。図５は、出力音制御部１４ａが外部環境の明るさに応じて音量を制御するための別の処理手順を例示するフローチャートである。
【００４７】
図５において、出力音制御部１４ａは、上述したステップＳ１０１〜Ｓ１０５と同様の処理手順を行い、外部環境が明るいと判定した場合の音量を上述した通常音量に制御する（ステップＳ２０１〜Ｓ２０５）。出力音制御部１４ａは、報知音等の出力音の音量を通常音量に制御した場合、報知部１２をオフ状態すなわち振動を発生しない状態に制御するよう制御部１４に指示する（ステップＳ２０６）。その後、出力音制御部１４ａは、ステップＳ２０１以降の処理手順を繰り返す。制御部１４は、音量が通常音量に制御された場合、この出力音制御部１４ａの指示に基づき、振動を発生しないように報知部１２を制御する。したがって、明るい外部環境下では、上述したように、音声出力部１１は通常音量の報知音等を出力し、報知部１２は、装置筐体に振動を伝達しない。
【００４８】
一方、出力音制御部１４ａは、上述したステップＳ１０３と同様の処理を行い、輝度値Ｌが閾値ＬTH未満であると判断した場合（ステップＳ２０３，Ｎｏ）、上述したステップＳ１０６と同様に、外部環境が暗いと判定する（ステップＳ２０７）。出力音制御部１４ａは、外部環境が暗いと判定した場合、出力音の音量を無音状態に制御する（ステップＳ２０８）。この場合、出力音制御部１４ａは、たとえば音量の制御電圧Ｖを上述した電圧値Ｖ１，Ｖ２に比して低い電圧値Ｖ０に制御する。この電圧値Ｖ０は、音量をほぼ０ｄＢすなわち聴覚上無音な状態にする制御電圧値である。
【００４９】
つぎに、出力音制御部１４ａは、報知音等の出力音の音量を無音状態に制御した場合、報知部１２をオン状態すなわち振動を発生可能な状態に制御するよう制御部１４に指示する（ステップＳ２０９）。その後、出力音制御部１４ａは、ステップＳ２０１以降の処理手順を繰り返す。制御部１４は、音量が無音状態に制御された場合、この出力音制御部１４ａの指示に基づき、必要に応じて振動を発生するように報知部１２を制御する。
【００５０】
たとえば、制御部１４は、暗い外部環境下において、外部情報記録媒体から情報を読み取った旨または上述した正否判定処理の結果に関する警告等を使用者に報知する場合、報知音等の出力音に代えて、着信または警告等の各種処理結果を使用者に報知する各種パターンの振動を報知部１２に発生させ、この振動を装置筐体に伝達させる。使用者は、この装置筐体に伝達された振動を確認することによって、着信または正否判定結果等が報知された旨を知ることができる。この場合、報知音等の出力音は無音状態であるので、周囲への聴覚による不快感を確実に排除することができ、使用者は、たとえば就寝中の患者に報知音等を気付かせることなく、暗い外部環境下での医療行為等を行うことができる。
【００５１】
一方、出力音制御部１４ａは、外部環境の明るさに応じて出力音の音量を制御していたが、これに限らず、外部環境の明るさに応じて出力音の音質を制御してもよい。この場合、出力音制御部１４ａは、上述したステップＳ１０１〜Ｓ１０７とほぼ同様の処理手順を繰り返し、このステップＳ１０７の音量の制御に代えて出力音の音質を制御する。
【００５２】
すなわち、出力音制御部１４ａは、上述したステップＳ１０１〜Ｓ１０５と同様の処理手順を行い、明るい外部環境下での出力音の音量を通常音量に制御する。これと同時に、出力音制御部１４ａは、この出力音の音質の高さを制御する。具体的には、出力音制御部１４ａは、この出力音の高さに対応する周波数帯を通常周波数帯に制御する。なお、この通常周波数帯とは、周囲が活動している明るい外部環境下において聞き取り易い音質として通常用いる基準周波数帯であって、使用者が音声出力部１１からの出力音を比較的聞き取り易い程度の周波数帯（たとえば３ｋＨｚ帯）である。
【００５３】
また、出力音制御部１４ａは、上述したステップＳ１０１〜Ｓ１０３と同様の処理を行い、輝度値Ｌが閾値ＬTH未満であると判断した場合、上述したステップＳ１０６と同様に、外部環境が暗いと判定する。出力音制御部１４ａは、外部環境が暗いと判定した場合、上述したステップＳ１０７に代えて出力音の音質すなわち周波数帯を上述した基準周波数帯に比して低い周波数帯（たとえば５００Ｈｚ帯程度）に制御する。これによって、出力音制御部１４ａは、暗い外部環境下での報知音等の出力音の音質を聴覚上聞き取り難い音質に制御する。たとえば、出力音制御部１４ａは、制御部１４が単音の報知音等を音声出力部１１に出力させる場合、この単音の報知音等の周波数帯を基準周波数帯に比して低周波数側にシフトし、制御部１４がメロディ等の複数の音色によって構成された和音の報知音等を音声出力部１１に出力させる場合、この和音の報知音等の各音色の周波数帯を基準周波数帯に比して低周波数側に一様にシフトする。
【００５４】
出力音制御部１４ａが、このように報知音等の出力音の音質を制御することによって、制御部１４は、明るい外部環境下において、上述した通常音量かつ通常周波数帯の報知音等を音声出力部１１に出力させ、暗い外部環境下において、聴覚上聞き取り難い周波数帯に制御した報知音等を音声出力部１１に出力させることができる。
【００５５】
すなわち、制御部１４は、暗い外部環境下において、たとえば外部情報記録媒体から情報を読み取った旨または上述した正否判定処理の結果に関する警告等を使用者に報知する場合、聴覚上聞き取り難い音質の報知音を音声出力部１１に出力させる。情報端末装置１の使用者およびその近傍の作業者は、この音質に制御された報知音を聞き取れるが、報知音を聞き取ることを意図しない周囲の人々（たとえば就寝中の周囲の患者）は、聞き取ることができない。これによって、上述した外部環境の明るさに応じた音量制御の場合と同様に、周囲への聴覚による不快感を確実に排除することができ、使用者は、たとえば就寝中の患者に報知音等を気付かせることなく、暗い外部環境下での医療行為等を行うことができる。
【００５６】
なお、この発明の実施の形態１では、暗い外部環境において出力する報知音等の出力音の音量を通常音量に比して一段階小さい音量に制御し、またはこの出力音の周波数帯を通常周波数帯に比して一段階低い周波数帯に制御していたが、この発明はこれに限定されるものではなく、暗い外部環境での出力音の音量または周波数帯を外部環境の光の輝度レベルすなわち輝度値Ｌの大きさに対応して段階的に変化させてもよい。この場合、輝度値Ｌと出力音の音量（たとえば制御電圧Ｖ）または音質（たとえば周波数帯）とを対応付けたデータベースを予め記憶部１３に格納し、上述した輝度情報をもとに得られた輝度値Ｌとこのデータベースとを用い、暗い外部環境下での報知音等の出力音の音量または音質をこの輝度値Ｌに対応する音量または音質に制御すればよい。
【００５７】
また、この発明の実施の形態１では、外部環境の光の輝度を所定時間毎に測定していたが、この発明はこれに限定されるものではなく、外部環境の光の輝度を常時測定し、これによって輝度値Ｌを常時得られるようにし、この輝度値Ｌと閾値ＬTHとを所定時間毎に比較してもよい。この場合、上述したステップＳ１０１またはＳ２０１に代えて、所定時間が経過したか否かを検知する処理を行い、所定時間が経過したと判断した場合、上述したステップＳ１０２以降またはステップＳ２０２以降の処理手順を行えばよい。
【００５８】
さらに、この発明の実施の形態１では、報知部１２は、着信または警告等の各種処理結果を使用者に報知する振動を装置筐体に伝達していたが、この発明はこれに限定されるものではなく、報知部１２は、この振動に代えて各種処理結果を使用者に報知する可視光を外部に出力してもよい。この場合、報知部１２は、たとえばＬＥＤ等の発光素子を有するようにし、使用者に対して着信または警告等の各種処理結果を報知する各種パターンまたは各種色の可視光を外部に出力すればよい。
【００５９】
また、この発明の実施の形態１では、外部環境の光の輝度を測定する測光部７を設けた場合を説明したが、この発明はこれに限定されるものではなく、撮像部６が光センサ等の測光素子を有するようにし、測光部７に代えて、撮像部６が外部環境の光の輝度を測定してもよい。すなわち、撮像部６は、外部環境の被写体を撮像する機能と外部環境の光の輝度を測定する機能とを兼ね備えてもよい。この場合、測光部７は設けられなくてもよい。
【００６０】
さらに、この発明の実施の形態１では、この発明にかかる情報端末装置の一例として、外部情報記録媒体内の情報を非接触で読み取ることが可能なＲＦＩＤ機能を有するＰＤＡタイプの情報端末装置を説明したが、この発明はこれに限定されるものではなく、この発明にかかる情報端末装置は、情報を非接触で読み取る機能と報知音等の音出力機能とを有する情報端末装置であればよく、たとえば、このＲＦＩＤ機能を有するノート型パソコンおよび携帯電話、赤外光等を用いて情報を光学的に読み取る光学情報読取機能を有する光学情報リーダ等の各種携帯型の情報端末装置であってもよいし、このＲＦＩＤ機能または光学情報読取機能と音出力機能とを有するデスクトップ型パソコン等の据置型の情報端末装置であってもよい。
【００６１】
以上、説明したように、この発明の実施の形態１では、外部環境の光の輝度レベルを判断し、この輝度レベルが所定の基準レベル以上である場合すなわち外部環境が明るい場合、出力音の音量を上述した通常音量に制御し、この輝度レベルが所定の基準レベル未満である場合すなわち外部環境が暗い場合、出力音の音量をこの通常音量に比して小さい音量に制御するように構成した。これによって、煩わしいマニュアル操作での音量調節を行わなくとも、暗い外部環境下での出力音を通常音量に比して小さい音量で出力でき、作業時、特に夜間等の暗い外部環境下での作業時に周囲に与える聴覚による不快感を排除可能な情報端末装置を実現できる。
【００６２】
また、外部環境の輝度レベルが所定の基準レベル以上である場合、出力音の音質を上述した通常周波数帯に制御し、この輝度レベルが所定の基準レベル未満である場合、出力音の音質をこの通常周波数帯に比して低い周波数帯に制御するように構成したので、上述した出力音の音量制御の場合と同様の作用効果を享受することができる。
【００６３】
さらに、外部環境の輝度レベルが所定の基準レベル以上である場合、出力音の音量を上述した通常音量に制御し、この輝度レベルが所定の基準レベル未満である場合、出力音の音量を無音状態に制御するとともに、この出力音に代えて着信等の各種処理結果を外部に報知する振動または可視光を出力するように構成した。これによって、煩わしいマニュアル操作での音量調節を行うことなく、暗い外部環境下での出力音を無音状態にできるとともに着信等の各種処理結果を確認でき、作業時、特に夜間等の暗い外部環境下での作業時に周囲に与える聴覚による不快感を確実に排除することができる。
【００６４】
この発明にかかる情報端末装置を用いることによって、たとえば医師または看護師等の使用者は、昼間の勤務帯で行う医療行為での出力音と夜間の勤務帯で行う医療行為での出力音とを使い分ける音量調節をマニュアルで行わなくとも、昼間の医療行為での情報端末装置からの出力音を容易に聞き取れ、かつ、夜間の医療行為において、周囲の患者に聴覚的な迷惑を与えずに、夜間の医療行為での情報端末装置による報知または警告等を確認できる。
【００６５】
（実施の形態２）
つぎに、この発明の実施の形態２について詳細に説明する。上述した実施の形態１では、暗い外部環境下での出力音を明るい外部環境下での出力音に比して小さい音量または低い音質に制御していたが、この実施の形態２では、現在の時刻を算出し、得られた現在の時刻が所定の時間帯内の時刻であれば、外部環境の光の輝度レベルに応じて出力音の音量または音質を制御するように構成している。
【００６６】
図６は、この発明の実施の形態２である情報端末装置の一構成例を模式的に示すブロック図である。この情報端末装置２１は、実施の形態１の制御部１４に代えて制御部２２が設けられる。制御部２２は、実施の形態１の出力音制御部１４ａに代えて出力音制御部２２ａを有する。また、情報端末装置２１は、時刻通知部２３がさらに設けられる。その他の構成は実施の形態１と同じであり、同一構成部分には同一符号を付している。
【００６７】
制御部２２は、上述した制御部１４とほぼ同様に機能し、時刻通知部２３をさらに制御する。制御部２２は、たとえば入力部２から入力された基準の時刻情報を時刻通知部２３に出力し、時刻通知部２３に対し、この基準の時刻情報を起点として現在時刻を逐次算出する制御を行う。また、制御部２２は、時刻通知部２３に対し、算出した現在時刻を現在時刻情報として常時または所定時間毎に通知するように指示し、この現在時刻を常時または所定時間毎に取得する。
【００６８】
時刻通知部２３は、水晶振動子、発振回路、および分周回路等を用いて実現され、制御部２２から入力された基準の時刻情報を起点の時刻として逐次計時し、現在時刻を逐次算出する。また、時刻通知部２３は、算出した現在時刻を現在時刻情報として制御部２２に常時または所定時間毎に出力する。これによって、時刻通知部２３は、逐次算出する現在時刻を制御部２２に通知する。
【００６９】
また、制御部２２は、上述したように、出力音制御部２２ａを有する。出力音制御部２２ａは、時刻通知部２３によって通知された現在時刻が夜時間帯内の時刻であるか否かを判断し、現在時刻がこの夜時間帯内の時刻であると判断した場合、上述した出力音制御部１４ａと同様に、外部環境の明るさに応じて出力音の音量または音質を制御する。なお、この夜時間帯は、現在時刻が夜間の時間帯（たとえば１８：００〜６：００の時間帯）であるか否かを判断するための基準時間帯として、制御部１４に予め設定される。
【００７０】
図７は、出力音制御部２２ａが現在時刻および外部環境の明るさに応じて音量を制御するための処理手順を例示するフローチャートである。図７において、まず、出力音制御部２２ａは、上述したステップＳ１０１と同様に輝度情報の検知判定を行い、輝度情報を検知していなければ（ステップＳ３０１，Ｎｏ）、この検知判定を繰り返し、輝度情報を検知した場合（ステップＳ３０１，Ｙｅｓ）、この輝度情報に基づく輝度値Ｌを取得するとともに、時刻通知部２３が制御部１４に通知した現在時刻を取得する（ステップＳ３０２）。
【００７１】
つぎに、出力音制御部２２ａは、ステップＳ３０２において取得した現在時刻が上述した夜時間帯内の時刻であるか否かを判断し（ステップＳ３０３）、夜時間帯内の時刻であると判断した場合（ステップＳ３０３，Ｙｅｓ）、上述したステップＳ１０２，Ｓ１０３と同様の処理を行い、外部環境の光の輝度レベルが基準レベル以上であるか否か（すなわち輝度値Ｌが閾値ＬTH以上であるか否か）を判断する（ステップＳ３０４，Ｓ３０５）。出力音制御部２２ａは、輝度値Ｌが閾値ＬTH以上であると判断した場合（ステップＳ３０５，Ｙｅｓ）、上述したステップＳ１０４，Ｓ１０５と同様の処理を行い、報知音等の音声出力部１１からの出力音の音量を上述した通常音量に制御する（ステップＳ３０６，Ｓ３０７）。その後、出力音制御部２２ａは、ステップＳ３０１以降の処理手順を繰り返す。
【００７２】
また、出力音制御部２２ａは、輝度値Ｌが閾値ＬTH未満であると判断した場合（ステップＳ３０５，Ｎｏ）、上述したステップＳ１０６，Ｓ１０７と同様の処理を行い、音声出力部１１からの出力音の音量を通常音量に比して小さい音量に制御する（ステップＳ３０８，Ｓ３０９）。その後、出力音制御部２２ａは、ステップＳ３０１以降の処理手順を繰り返す。
【００７３】
一方、出力音制御部２２ａは、ステップＳ３０３において、現在時刻が夜時間帯内の時刻ではないと判断した場合（ステップＳ３０３，Ｎｏ）、外部環境の光の輝度レベルを判断せずに、上述したステップＳ３０７以降の処理を行い、報知音等の出力音の音量を通常音量に制御する。
【００７４】
なお、出力音制御部２２ａは、上述した実施の形態１の場合と同様に、出力音の音量に代えて音質すなわち周波数帯を外部環境の明るさに応じて制御してもよい。この場合、出力音制御部２２ａは、ステップＳ３０７において、出力音の音量を通常音量に制御するとともに、この出力音の音質すなわち周波数帯を上述した基準周波数帯に制御する。また、出力音制御部２２ａは、ステップＳ３０９に代えて出力音の周波数帯を基準周波数帯に比して低い周波数帯に制御する。
【００７５】
一方、出力音制御部２２ａは、現在時刻が夜時間帯内の時刻であると判断し、かつ外部環境が暗いと判定した場合、上述した実施の形態１の場合と同様に、暗い外部環境での出力音を無音状態に制御するとともに、この出力音に代えて、使用者に各種処理結果等を報知するための振動を発生させてもよい。図８は、出力音制御部２２ａが現在時刻および外部環境の明るさに応じて音量を制御するための別の処理手順を例示するフローチャートである。
【００７６】
図８において、出力音制御部２２ａは、上述したステップＳ３０１〜Ｓ３０３と同様の処理手順を行い、輝度値Ｌと現在時刻とを取得し、この現在時刻が夜時間帯内の時刻であるか否かを判断する（ステップＳ４０１〜Ｓ４０３）。出力音制御部２２ａは、現在時刻が夜時間帯内の時刻であると判断した場合（ステップＳ４０３，Ｙｅｓ）、上述したステップＳ２０２〜Ｓ２０６と同様の処理手順を行い、明るい外部環境での報知音等の出力音の音量を通常音量に制御し（ステップＳ４０４〜Ｓ４０７）、つぎに、報知部１２をオフ状態に制御するよう制御部２２に指示する（ステップＳ４０８）。その後、出力音制御部２２ａは、ステップＳ４０１以降の処理手順を繰り返す。
【００７７】
また、出力音制御部２２ａは、現在時刻が夜時間帯内の時刻であると判断した場合（ステップＳ４０３，Ｙｅｓ）、上述したステップＳ２０２，Ｓ２０３，Ｓ２０７〜Ｓ２０９と同様の処理手順を行い、暗い外部環境での出力音を無音状態に制御し（ステップＳ４０４，Ｓ４０５，Ｓ４０９，Ｓ４１０）、つぎに、報知部１２をオン状態に制御するよう制御部２２に指示する（ステップＳ４１１）。その後、出力音制御部２２ａは、ステップＳ４０１以降の処理手順を繰り返す。
【００７８】
一方、出力音制御部２２ａは、ステップＳ４０３において、現在時刻が夜時間帯内の時刻ではないと判断した場合（ステップＳ４０３，Ｎｏ）、外部環境の光の輝度レベルを判断せずに、ステップＳ４０７以降の処理を行い、報知音等の出力音の音量を通常音量に制御するとともに、報知部１２をオフ状態にするよう制御部２２に指示する。
【００７９】
ここで、出力音制御部２２ａは、時刻通知部２３によって通知された現在時刻が夜時間帯内の時刻ではない（たとえば昼間の時間帯内の時刻である）と判断した場合、外部環境の光の輝度レベルによらず常時、出力音の音量を通常音量に制御する。すなわち、制御部２２は、この現在時刻が夜時間帯内の時刻でなければ、情報端末装置２１がポケットの中または鞄の中等の暗い外部環境下に置かれた場合であっても、音声出力部１１に対し、通常音量の報知音等を出力する制御を行うことができる。これによって、使用者は、たとえば昼間の時間帯の作業において、ポケットまたは鞄等の中に情報端末装置２１を入れた状態であっても、報知音等の出力音を十分聞き取ることができる。このことは、出力音の音量に代えて音質を制御する場合も同様であり、また、暗い外部環境での出力音を無音状態に制御する場合も同様である。
【００８０】
なお、この発明の実施の形態２では、暗い外部環境において出力する報知音等の出力音の音量を通常音量に比して一段階小さい音量に制御し、またはこの出力音の周波数帯を通常周波数帯に比して一段階低い周波数帯に制御していたが、この発明はこれに限定されるものではなく、上述した実施の形態１の場合と同様に、暗い外部環境での出力音の音量または周波数帯を外部環境の光の輝度レベルすなわち輝度値Ｌの大きさに対応して段階的に変化させてもよい。
【００８１】
また、この発明の実施の形態２では、報知部１２は、着信または警告等の各種処理結果を使用者に報知する振動を装置筐体に伝達していたが、この発明はこれに限定されるものではなく、報知部１２は、上述した実施の形態１の場合と同様に、振動に代えて各種処理結果を使用者に報知する可視光を外部に出力してもよい。
【００８２】
さらに、この発明の実施の形態２では、外部環境の光の輝度を測定する測光部７を設けた場合を説明したが、この発明はこれに限定されるものではなく、上述した実施の形態１の場合と同様に、撮像部６が光センサ等の測光素子を有するようにし、測光部７に代えて、撮像部６が外部環境の光の輝度を測定してもよい。
【００８３】
また、この発明の実施の形態２では、この発明にかかる情報端末装置の一例として、外部情報記録媒体内の情報を非接触で読み取ることが可能なＲＦＩＤ機能を有するＰＤＡタイプの情報端末装置を説明したが、この発明はこれに限定されるものではなく、この発明にかかる情報端末装置は、情報を非接触で読み取る機能と報知音等の音出力機能とを有する情報端末装置であればよく、たとえば、このＲＦＩＤ機能を有するノート型パソコンおよび携帯電話、赤外光等を用いて情報を光学的に読み取る光学情報読取機能を有する光学情報リーダ等の各種携帯型の情報端末装置であってもよいし、このＲＦＩＤ機能または光学情報読取機能と音出力機能とを有するデスクトップ型パソコン等の据置型の情報端末装置であってもよい。
【００８４】
以上、説明したように、この発明の実施の形態２では、上述した実施の形態１の機能に加え、さらに現在の時刻を算出し、この現在の時刻が所定の基準時間帯内（たとえば夜時間帯内）の時刻であるか否かを判断するようにし、現在の時刻が夜時間帯内の時刻である場合、上述した実施の形態１と同様に、外部環境の光の輝度レベルに応じて出力音の音量または音質を制御し、現在の時刻が夜時間帯内の時刻ではない場合、外部環境の光の輝度レベルによらず、出力音の音量を通常音量に制御するように構成した。このため、所望の時間帯たとえば昼間の時間帯において、外部環境の明るさによらず常時、報知音等の出力音の音量を上述した通常音量に制御でき、上述した実施の形態１の作用効果を享受するとともに、報知音等の出力音の聞き取り易さをさらに向上できる情報端末装置を実現することができる。
【００８５】
（実施の形態３）
つぎに、この発明の実施の形態３について詳細に説明する。上述した実施の形態２では、現在の時刻を算出し、得られた現在の時刻が所定の時間帯内の時刻であれば、外部環境の光の輝度レベルに応じて出力音の音量または音質を制御していたが、この実施の形態３では、使用者が所望の時刻また時間帯をマニュアル指定できるようにし、指定した時刻または時間帯が所定の時間帯内であれば、外部環境の光の輝度レベルに応じて出力音の音量または音質を制御するように構成している。
【００８６】
図９は、この発明の実施の形態３である情報端末装置の一構成例を模式的に示すブロック図である。この情報端末装置３１は、実施の形態２の制御部２２に代えて制御部３２が設けられる。制御部３２は、実施の形態２の出力音制御部２２ａに代えて出力音制御部３２ａを有する。また、情報端末装置３１は、時刻通知部２３に代えて勤務帯入力部３３が設けられる。その他の構成は実施の形態２と同じであり、同一構成部分には同一符号を付している。
【００８７】
制御部３２は、上述した制御部１４とほぼ同様に機能し、さらに勤務帯入力部３３に対し、情報の入出力制御を行う。勤務帯入力部３３は、使用者が所望の勤務時間帯を指定するためのものである。勤務帯入力部３３は、複数の入力キーたとえば昼勤入力キー３３ａと夜勤入力キー３３ｂとを有する。昼勤入力キー３３ａは、昼間の勤務時間帯を指定する指定時間情報（昼時間帯情報）を入力するための入力キーであり、夜勤入力キー３３ｂは、夜間の勤務時間帯を指定する指定時間情報（夜時間帯情報）を入力するための入力キーである。すなわち、勤務帯入力部３３は、使用者が昼勤入力キー３３ａを用いて入力操作した場合、制御部３２に対して昼時間帯情報を入力し、使用者が夜勤入力キー３３ｂを用いて入力操作した場合、制御部３２に対して夜時間帯情報を入力する。
【００８８】
また、制御部３２は、上述したように、出力音制御部３２ａを有する。出力音制御部３２ａは、勤務帯入力部３３によって入力された指定時間情報が夜間の勤務時間帯を指定するものであるか否かを判断し、入力された指定時間情報が夜間の勤務時間帯を指定するものであると判断した場合、上述した出力音制御部２２ａと同様に、外部環境の明るさに応じて出力音の音量または音質を制御する。
【００８９】
図１０は、出力音制御部３２ａが指定時間情報および外部環境の明るさに応じて音量を制御するための処理手順を例示するフローチャートである。なお、使用者は、勤務帯入力部３３を用いた入力操作を既に行い、上述した昼時間帯情報または夜時間帯情報を指定入力している。図１０において、まず、出力音制御部３２ａは、上述したステップＳ３０１と同様に輝度情報の検知判定を行い、輝度情報を検知していなければ（ステップＳ５０１，Ｎｏ）、この検知判定を繰り返し、輝度情報を検知した場合（ステップＳ５０１，Ｙｅｓ）、この輝度情報に基づく輝度値Ｌを取得するとともに、勤務帯入力部３３によって入力された指定時間情報を取得する（ステップＳ５０２）。
【００９０】
つぎに、出力音制御部３２ａは、ステップＳ５０２において取得した指定時間情報が夜間の勤務時間帯を指定するものであるか否かを判断する（ステップＳ５０３）。出力音制御部３２ａは、使用者が夜勤入力キー３３ｂを操作して夜時間情報を入力していれば、この指定時間情報が夜間の勤務時間帯を指定するものであると判断し（ステップＳ５０３，Ｙｅｓ）、上述したステップＳ３０４〜Ｓ３０７と同様の処理手順を行い、報知音等の音声出力部１１からの出力音の音量を上述した通常音量に制御する（ステップＳ５０４〜Ｓ５０７）。その後、出力音制御部３２ａは、ステップＳ５０１以降の処理手順を繰り返す。
【００９１】
また、出力音制御部３２ａは、この指定時間情報が夜間の勤務時間帯を指定するものであると判断した場合（ステップＳ５０３，Ｙｅｓ）、上述したステップＳ３０４，Ｓ３０５，Ｓ３０８，Ｓ３０９と同様の処理手順を行い、音声出力部１１からの出力音の音量を通常音量に比して小さい音量に制御する（ステップＳ５０４，Ｓ５０５，Ｓ５０８，Ｓ５０９）。その後、出力音制御部３２ａは、ステップＳ５０１以降の処理手順を繰り返す。
【００９２】
一方、出力音制御部３２ａは、ステップＳ５０３において、取得した指定時間情報が夜間の勤務時間帯を指定するものではない（すなわち昼間の勤務時間帯を指定するもの）と判断した場合（ステップＳ５０３，Ｎｏ）、外部環境の光の輝度レベルを判断せずに、ステップＳ５０７以降の処理を行い、報知音等の出力音の音量を通常音量に制御する。
【００９３】
なお、出力音制御部３２ａは、上述した実施の形態２の場合と同様に、出力音の音量に代えて音質すなわち周波数帯を外部環境の明るさに応じて制御してもよい。この場合、出力音制御部３２ａは、ステップＳ５０７において、出力音の音量を通常音量に制御するとともに、この出力音の音質すなわち周波数帯を上述した基準周波数帯に制御する。また、出力音制御部３２ａは、ステップＳ５０９に代えて出力音の周波数帯を基準周波数帯に比して低い周波数帯に制御する。
【００９４】
一方、出力音制御部３２ａは、夜間の勤務時間帯が指定され、かつ外部環境が暗いと判定した場合、上述した実施の形態２の場合と同様に、暗い外部環境での出力音を無音状態に制御するとともに、この出力音に代えて、使用者に各種処理結果等を報知するための振動を発生させてもよい。図１１は、出力音制御部３２ａが指定時間情報および外部環境の明るさに応じて音量を制御するための別の処理手順を例示するフローチャートである。
【００９５】
図１１において、出力音制御部３２ａは、上述したステップＳ４０１〜Ｓ４０３と同様の処理手順を行い、輝度値Ｌと指定時間情報とを取得し、この指定時間情報が夜間の勤務時間帯を指定するものであるか否かを判断する（ステップＳ６０１〜Ｓ６０３）。出力音制御部３２ａは、この指定時間情報が夜間の勤務時間帯を指定するものであると判断した場合（ステップＳ６０３，Ｙｅｓ）、上述したステップＳ４０４〜Ｓ４０８と同様の処理手順を行い、明るい外部環境下での報知音等の出力音の音量を通常音量に制御するとともに、報知部１２をオフ状態に制御するよう制御部３２に指示する（ステップＳ６０４〜Ｓ６０８）。その後、出力音制御部３２ａは、ステップＳ６０１以降の処理手順を繰り返す。
【００９６】
また、出力音制御部３２ａは、この指定時間情報が夜間の勤務時間帯を指定するものであると判断した場合（ステップＳ６０３，Ｙｅｓ）、上述したステップＳ４０４，Ｓ４０５，Ｓ４０９〜Ｓ４１１と同様の処理手順を行い、暗い外部環境での報知音等の出力音を無音状態に制御するとともに、報知部１２をオン状態に制御するよう制御部３２に指示する（ステップＳ６０４，Ｓ６０５，Ｓ６０９〜Ｓ６１１）。その後、出力音制御部３２ａは、ステップＳ６０１以降の処理手順を繰り返す。
【００９７】
一方、出力音制御部３２ａは、ステップＳ６０３において、取得した指定時間情報が夜間の勤務時間帯を指定するものではない（すなわち昼間の勤務時間帯を指定するもの）と判断した場合（ステップＳ６０３，Ｎｏ）、外部環境の光の輝度レベルを判断せずに、ステップＳ６０７以降の処理を行い、報知音等の出力音の音量を通常音量に制御するとともに、報知部１２をオフ状態にするよう制御部３２に指示する。
【００９８】
ここで、使用者が、勤務帯入力部３３の昼勤入力キー３３ａを用い、昼時間帯情報の入力操作を行った場合、出力音制御部３２ａは、入力された指定時間情報が夜間の勤務時間帯を指定するものではない（すなわち昼間の勤務時間帯を指定するもの）と判断し、この判断結果に基づき、外部環境の光の輝度レベルによらず常時、出力音の音量を通常音量に制御する。すなわち、制御部３２は、使用者が昼間の勤務時間帯を指定すれば、情報端末装置３１がポケットの中または鞄の中等の暗い外部環境下に置かれた場合であっても、音声出力部１１に対し、通常音量の報知音等を出力する制御を行うことができる。したがって、上述した実施の形態２の場合と同様の作用効果を享受できる。このことは、出力音の音量に代えて音質を制御する場合も同様であり、また、暗い外部環境での出力音を無音状態に制御する場合も同様である。
【００９９】
なお、この発明の実施の形態３では、暗い外部環境において出力する報知音等の出力音の音量を通常音量に比して一段階小さい音量に制御し、またはこの出力音の周波数帯を通常周波数帯に比して一段階低い周波数帯に制御していたが、この発明はこれに限定されるものではなく、上述した実施の形態１の場合と同様に、暗い外部環境での出力音の音量または周波数帯を外部環境の光の輝度レベルすなわち輝度値Ｌの大きさに対応して段階的に変化させてもよい。
【０１００】
また、この発明の実施の形態３では、報知部１２は、着信または警告等の各種処理結果を使用者に報知する振動を装置筐体に伝達していたが、この発明はこれに限定されるものではなく、報知部１２は、上述した実施の形態１の場合と同様に、振動に代えて各種処理結果を使用者に報知する可視光を外部に出力してもよい。
【０１０１】
さらに、この発明の実施の形態３では、外部環境の光の輝度を測定する測光部７を設けた場合を説明したが、この発明はこれに限定されるものではなく、上述した実施の形態１の場合と同様に、撮像部６が光センサ等の測光素子を有するようにし、測光部７に代えて、撮像部６が外部環境の光の輝度を測定してもよい。
【０１０２】
また、この発明の実施の形態３では、所望の時間帯たとえば昼間の勤務時間帯または夜間の勤務時間帯を指定するようにしていたが、この発明はこれに限定されるものではなく、朝、昼、および夜等の所望の時間帯を指定する各指定時間情報を入力してもよいし、所望の時刻または時間帯そのものを指定する指定時間情報を数値入力してもよい。この場合、勤務帯入力部３３等を設けず、入力部２を用い、これら所望の時刻または時間帯を指定する指定時間情報を入力または数値入力してもよい。また、この指定時間情報を数値入力する場合、数値入力された指定時間情報が夜間の時間帯内であるか否かを判断するための基準時間帯情報が制御部３２に予め設定され、出力音制御部３２ａが、数値入力された指定時間情報とこの基準時間帯情報とを用い、この指定時間情報が夜間の時間帯内であるか否かを判断すればよい。
【０１０３】
さらに、この発明の実施の形態３では、この発明にかかる情報端末装置の一例として、外部情報記録媒体内の情報を非接触で読み取ることが可能なＲＦＩＤ機能を有するＰＤＡタイプの情報端末装置を説明したが、この発明はこれに限定されるものではなく、この発明にかかる情報端末装置は、情報を非接触で読み取る機能と報知音等の音出力機能とを有する情報端末装置であればよく、たとえば、このＲＦＩＤ機能を有するノート型パソコンおよび携帯電話、赤外光等を用いて情報を光学的に読み取る光学情報読取機能を有する光学情報リーダ等の各種携帯型の情報端末装置であってもよいし、このＲＦＩＤ機能または光学情報読取機能と音出力機能とを有するデスクトップ型パソコン等の据置型の情報端末装置であってもよい。
【０１０４】
以上、説明したように、この発明の実施の形態３では、上述した実施の形態１の機能に加え、所望の時刻または時間帯を指定する指定時間情報をさらにマニュアル入力し、入力した指定時間情報によって指定される時刻または時間帯が所定の基準時間帯内（たとえば夜間の時間帯内）であるか否かを判断するようにし、指定された時刻または時間帯が夜間の時間帯内である場合、上述した実施の形態１と同様に、外部環境の光の輝度レベルに応じて出力音の音量または音質を制御し、指定された時刻または時間帯が夜間の時間帯内ではない場合、外部環境の光の輝度レベルによらず、出力音の音量を通常音量に制御するように構成した。このため、上述した実施の形態２の場合と同様の作用効果を享受できる情報端末装置を容易に実現することができる。
【図面の簡単な説明】
【０１０５】
【図１】この発明の実施の形態１である情報端末装置の一構成例を模式的に示すブロック図である。
【図２】この発明の実施の形態１である情報端末装置の概略構成を模式的に例示する分解斜視図である。
【図３】外部環境の明るさに応じて音量を制御するための処理手順を例示するフローチャートである。
【図４】外部環境の明るさに応じて音量を制御する動作を説明するための模式図である。
【図５】外部環境の明るさに応じて音量を制御するための別の処理手順を例示するフローチャートである。
【図６】この発明の実施の形態２である情報端末装置の一構成例を模式的に示すブロック図である。
【図７】現在時刻および外部環境の明るさに応じて音量を制御するための処理手順を例示するフローチャートである。
【図８】現在時刻および外部環境の明るさに応じて音量を制御するための別の処理手順を例示するフローチャートである。
【図９】この発明の実施の形態３である情報端末装置の一構成例を模式的に示すブロック図である。
【図１０】指定時間情報および外部環境の明るさに応じて音量を制御するための処理手順を例示するフローチャートである。
【図１１】指定時間情報および外部環境の明るさに応じて音量を制御するための別の処理手順を例示するフローチャートである。
【符号の説明】
【０１０６】
１，２１，３１  情報端末装置
２  入力部
２ａ，２ｂ  ボタン
２ｃ，２ｄ  入力スイッチ
３  表示部
４  アンテナ
５  ＲＦＩＤ処理部
６  撮像部
７  測光部
８  外部通信部
９  ストレージデバイス
１０  音声入力部
１１  音声出力部
１２  報知部
１３  記憶部
１４，２２，３２  制御部
１４ａ，２２ａ，３２ａ  出力音制御部
１５，１６  筐体
１５ａ  表示窓
１６ａ  バッテリ収納部
１６ｂ  蓋
１６ｃ  撮像窓
１６ｄ  測光窓
１６ｅ  音出力用窓
１７  バッテリ
１８  制御基板
２３  時刻通知部
３３  勤務帯入力部
３３ａ  昼勤入力キー
３３ｂ  夜勤入力キー
１００  ＲＦＩＤタグ
【図１】
2006171809.tif 000003
【図２】
2006171809.tif 000004
【図３】
2006171809.tif 000005
【図４】
2006171809.tif 000006
【図５】
2006171809.tif 000007
【図６】
2006171809.tif 000008
【図７】
2006171809.tif 000009
【図８】
2006171809.tif 000010
【図９】
2006171809.tif 000011
【図１０】
2006171809.tif 000012
【図１１】
2006171809.tif 000013